(57)【要約】【課題】コンバータにより昇圧された電流のうちポンプの駆動に必要な電流を除く残りの電流を別途保存する保存部を設け、残りの電流を用いることにより、使用効率性を向上させた太陽光を用いた用水供給システムを提供する。【解決手段】太陽光を用いた用水供給システムは、太陽光を集光して直流を生成する太陽電池板と、太陽電池板により生成された直流を昇圧して出力するコンバータと、コンバータから出力された直流を交流に変換して出力するインバータと、コンバータにより昇圧された直流の量を測定し、基準値以下であればインバータから出力された交流がポンプに供給されるようにし、基準値を超えれば基準値を超えた分の直流が保存部に保存されるように制御する制御部と、制御部の制御によって基準値を超えた分の直流を保存する保存部と、インバータから供給された交流により用水を供給するように動作するポンプとを含む。【選択図】図１
2016105683.tif 000002
【特許請求の範囲】
【請求項１】
太陽光を集光して直流を生成する太陽電池板と、
前記太陽電池板により生成された直流を昇圧して出力するコンバータと、
前記コンバータから出力された直流を交流に変換して出力するインバータと、
前記コンバータにより昇圧された直流の量を測定し、基準値以下であれば前記インバータから出力された交流がポンプに供給されるようにし、前記基準値を超えれば前記基準値を超えた分の直流が保存部に保存されるように制御する制御部と、
前記制御部の制御によって前記基準値を超えた分の直流を保存する保存部と、
前記インバータから供給された交流により用水を供給するように動作するポンプと、を含む、太陽光を用いた用水供給システム。
【請求項２】
前記制御部は、前記コンバータにより昇圧された直流の量が所定量以下となると、前記保存部に保存された直流を前記インバータに供給して交流に変換された後に前記ポンプに供給されるようにする、請求項１に記載の太陽光を用いた用水供給システム。
【請求項３】
太陽光を集光して直流を生成する太陽電池板と、
前記太陽電池板により生成された直流を昇圧して出力するコンバータと、
前記コンバータから出力された直流を交流に変換して出力するインバータと、
外部の温度を検知する温度検知センサと、
前記温度検知センサで検知された温度が基準温度以下であれば前記インバータから出力された交流がポンプに供給されるようにし、前記基準温度を超えれば前記コンバータにより昇圧された直流のうち所定量の直流が保存部に保存されるように制御する制御部と、
前記制御部の制御によって前記コンバータにより昇圧された直流のうち所定量の直流を保存する保存部と、
前記インバータから供給された交流により動作するポンプと、を含む、太陽光を用いた用水供給システム。
【請求項４】
前記制御部は、前記温度検知センサで検知された温度が所定温度以下となると、前記保存部に保存された直流を前記インバータに供給して交流に変換された後に前記ポンプに供給されるようにする、請求項３に記載の太陽光を用いた用水供給システム。
【発明の詳細な説明】
【技術分野】
【０００１】
本発明は、太陽光を用いた用水供給システムに関し、特に、太陽光の放射量に関係なく、太陽光を用いて用水供給のためのポンプを継続して使用できるようにする太陽光を用いた用水供給システムに関する。
【背景技術】
【０００２】
一般に、太陽光発電は、太陽電池板により太陽光を集光し、太陽光により太陽電池板に電荷差が生じるとそれを利用して直流を発生させ、電力変換器により直流を交流に変換する過程などにより発電を行う。
【０００３】
このような太陽光発電は、そのシステムを実現するにあたって高い初期設備費を必要とするが、一度設置しておくと、燃料を用いるのではなく太陽光だけで高いエネルギー効率を得ることができ、かつ反永久的に使用することができるという利点がある。
【０００４】
よって、太陽光発電システムは、電力需給が厳しい地域で電力を自己調達するシステムとして使用されるなど、産業全般にわたって様々な応用分野に適用されている。
【０００５】
このような太陽光発電システムの適用分野のうち、僻地に飲料水や農牧畜用水を供給する用途で太陽光発電ポンプ設備が多く設置されて使用されている。
【０００６】
太陽光発電ポンプ設備は、太陽光発電システムにおいて生成されて変換された交流でポンプの交流モータを駆動してポンピングすることにより、必要な場所に用水を供給できるようにする。
【０００７】
図４は従来の太陽光を用いた用水供給システムの概略構成図である。
【０００８】
図４に示すように、従来の太陽光を用いた用水供給システムは、太陽光を集光して電流を生成する太陽電池板１０、太陽電池板１０により生成された電流を用いてポンプ３０を動作させる制御部２０、制御部２０の制御によって動作して用水供給のためのポンプ３０などから構成される。
【０００９】
このような従来の太陽光を用いた用水供給システムは、複数の太陽電池モジュール（図示せず）からなる太陽電池板１０により太陽光を集光することで電流を生成し、制御部２０が太陽電池板１０により生成された電流をポンプ３０に供給してポンプ３０を動作させることにより、田や畑などの必要な位置に用水が供給されるようにする。
【発明の概要】
【発明が解決しようとする課題】
【００１０】
しかし、このような従来の太陽光を用いた用水供給システムは、太陽電池板１０により生成された電流を別途保存することができないだけでなく、太陽電池板１０により多量の電流が生成されても、ポンプ３０の駆動に用いられる電流を除く残りの電流を用いることができないので、用水供給システムを用いる際の効率性が低いという問題があった。
【００１１】
また、ポンプ３０の駆動のための電流を別途保存しないため、太陽光の放射量の多い昼間にのみポンプ３０を駆動することができ、太陽光の放射量の少ない夜間にはポンプ３０を駆動することができないので、用水の供給に時間の制限が大きいという問題があった。
【００１２】
本発明は、このような問題を解決するためになされたものであり、太陽光の放射量に関係なく、太陽光を用いて用水供給のためのポンプを継続して使用できるようにする太陽光を用いた用水供給システムを提供することを目的とする。
【課題を解決するための手段】
【００１３】
上記目的を達成するために、本発明の第１実施形態による太陽光を用いた用水供給システムは、太陽光を集光して直流を生成する太陽電池板と、前記太陽電池板により生成された直流を昇圧して出力するコンバータと、前記コンバータから出力された直流を交流に変換して出力するインバータと、前記コンバータにより昇圧された直流の量を測定し、基準値以下であれば前記インバータから出力された交流がポンプに供給されるようにし、前記基準値を超えれば前記基準値を超えた分の直流が保存部に保存されるように制御する制御部と、前記コンバータにより昇圧された直流の量が前記基準値を超えた場合、前記制御部の制御によって前記基準値を超えた分の直流を保存する保存部と、前記インバータから供給された交流により用水を供給するように動作するポンプとを含む。
【００１４】
前記制御部は、前記コンバータにより昇圧された直流の量が所定量以下となると、前記保存部に保存された直流を前記インバータに供給して交流に変換された後に前記ポンプに供給されるようにしてもよい。
【００１５】
上記目的を達成するために、本発明の第２実施形態による太陽光を用いた用水供給システムは、太陽光を集光して直流を生成する太陽電池板と、前記太陽電池板により生成された直流を昇圧して出力するコンバータと、前記コンバータから出力された直流を交流に変換して出力するインバータと、外部の温度を検知する温度検知センサと、前記温度検知センサで検知された温度が基準温度以下であれば前記インバータから出力された交流がポンプに供給されるようにし、前記基準温度を超えれば前記コンバータにより昇圧された直流のうち所定量の直流が保存部に保存されるように制御する制御部と、前記制御部の制御によって前記コンバータにより昇圧された直流のうち所定量の直流を保存する保存部と、前記インバータから供給された交流により動作するポンプとを含む。
【００１６】
前記制御部は、前記温度検知センサで検知された温度が所定温度以下となると、前記保存部に保存された直流を前記インバータに供給して交流に変換された後に前記ポンプに供給されるようにしてもよい。
【発明の効果】
【００１７】
本発明による太陽光を用いた用水供給システムは、コンバータにより昇圧された電流のうちポンプの駆動に必要な電流を除く残りの電流を別途保存する保存部を設け、残りの電流を用いるようにすることにより、使用の効率性が向上するという効果がある。
【００１８】
また、保存部に保存された残りの電流を、太陽光の放射量の少ない夜間や早朝などにポンプを駆動する際に用いるようにすることにより、用水供給のためのポンプを時間に制約されることなく継続して使用できるという効果がある。
【００１９】
さらに、ポンプを時間に制約されることなく使用できるので、用水を用いて栽培される農作物の生産性が向上するという効果がある。
【図面の簡単な説明】
【００２０】
【図１】本発明の第１実施形態による太陽光を用いた用水供給システムの構成を示すブロック図である。
【図２】本発明の第２実施形態による太陽光を用いた用水供給システムの構成を示すブロック図である。
【図３】本発明による太陽光を用いた用水供給方法を示すフローチャートである。
【図４】従来の太陽光を用いた用水供給システムの概略構成図である。
【発明を実施するための形態】
【００２１】
以下、添付図面を参照して本発明による太陽光を用いた用水供給システム及び用水供給方法について詳細に説明する。
【００２２】
図１は本発明の第１実施形態による太陽光を用いた用水供給システムの構成を示すブロック図である。
【００２３】
図１に示すように、本発明の第１実施形態による太陽光を用いた用水供給システムは、太陽電池板１００、コンバータ１１０、インバータ１２０、制御部１４０、保存部１３０及びポンプ１５０を含む。
【００２４】
太陽電池板１００は、太陽から放射される太陽光を集光してポンプ１５０の駆動のための電流（直流）を生成する。
【００２５】
ここで、太陽電池板１００により集光されて生成される直流の量は、太陽から放射される太陽光の放射量に応じて増減する。
【００２６】
コンバータ１１０は、太陽電池板１００により生成された直流を昇圧してポンプ１５０の駆動に必要な直流にレベル変換する。
【００２７】
インバータ１２０は、コンバータ１１０により昇圧されてレベル変換された直流を、ポンプ１５０に備えられた交流モータの駆動のための交流に変換する。
【００２８】
制御部１４０は、コンバータ１１０により昇圧された直流の量を測定し、測定された直流の量が基準値（ポンプ１５０の交流モータの駆動に必要な最大電流量）以下であれば、インバータ１２０から出力された交流がポンプ１５０に供給されるようにする。
【００２９】
それに対して、測定された直流の量が基準値を超えれば、基準値以下に対応する電流は、インバータ１２０により交流に変換されてポンプ１５０の交流モータの駆動のための動力として継続して供給されるようにし、基準値を超えた分の電流は、保存部１３０に保存されるようにする。
【００３０】
ここで、コンバータ１１０により昇圧された直流の量が基準値以下であるだけでなく、所定量（ポンプ１５０の交流モータを正常動作させることができない電流量）以下となると、制御部１４０は、保存部１３０に保存された残りの電流をインバータ１２０に供給して交流に変換し、その後ポンプ１５０に供給してポンプ１５０の交流モータを駆動することにより、用水を供給するようにする。
【００３１】
保存部１３０は、コンバータ１１０により昇圧された直流の量が基準値を超えた場合、基準値を超えた残りの電流を保存し、ポンプ１５０は、インバータ１２０から交流電源が供給されて交流モータが駆動されることにより、必要とするところに用水を供給する。
【００３２】
本発明においては、太陽電池板１００により集光された太陽光を用いて電流を生成し、生成される電流の量によって用水供給のためのポンプ１５０を駆動したり残りの電流を保存部１３０に保存することにより、ポンプ１５０を駆動する上で電流の不要な使用を防止し、ポンプ１５０の駆動に用いられない残りの電流は別途保存して用いるので、使用の効率性が向上する。
【００３３】
また、太陽光の放射量の少ない夜間や早朝には太陽電池板１００により生成される電流の量が少ないのでポンプ１５０の駆動が困難になるが、コンバータ１１０により昇圧された電流の量が所定量以下となると、保存部１３０に保存された残りの電流をポンプ１５０に供給することにより、太陽光の放射量に関係なくポンプ１５０を継続して駆動して用水を供給できるようにする。
【００３４】
一方、図２は本発明の第２実施形態による太陽光を用いた用水供給システムの構成を示すブロック図である。
【００３５】
図２に示すように、本発明の第２実施形態による太陽光を用いた用水供給システムは、太陽電池板２００、コンバータ２１０、インバータ２２０、温度検知センサ２６０、制御部２４０、保存部２３０及びポンプ２５０を含む。
【００３６】
太陽電池板２００は、太陽から放射される太陽光を集光して直流を生成し、コンバータ２１０は、太陽電池板２００により生成された直流を昇圧してレベル変換し、その後出力する。
【００３７】
インバータ２２０は、コンバータ２１０から出力された直流を、ポンプ２５０に備えられた交流モータの駆動のための交流に変換し、その後ポンプ２５０に供給する。
【００３８】
温度検知センサ２６０は、外部の温度を検知し、制御部２４０は、温度検知センサ２６０で検知された外部の温度に基づいてポンプ１５０の駆動を制御する。
【００３９】
制御部２４０は、温度検知センサ２６０で検知された外部の温度を受信し、所定の基準温度（ポンプ２５０を駆動するのに十分な電流を生成する太陽光の放射量を満たすときの温度）以下であれば、インバータ２２０から出力された交流がポンプ２５０に供給されるようにし、基準温度を超えれば、基準温度のときに生成される電流の量を基準としてそれを超える分の電流は保存部２３０に保存されるように制御する。
【００４０】
ここで、基準温度は、用水を供給する田や畑などの大きさなどによって異なる温度に設定されるが、用水を供給する地域が大きければ、基準温度を高く設定してポンプ１５０の駆動のために供給される電流の量が多くなるようにし、用水を供給する地域が小さければ、基準温度を低く設定してポンプ１５０の駆動のために供給される電流の量が少なくなるようにする。
【００４１】
また、外部の温度が基準温度以下であるだけでなく、所定温度（太陽光の放射量がポンプ２５０を駆動するのに足りない温度）以下となると、制御部２４０は、保存部２３０に保存された残りの電流をインバータ２２０に供給して交流に変換し、その後ポンプ２５０に供給してポンプ２５０を駆動することにより、用水を供給するようにする。
【００４２】
保存部２３０は、制御部２４０の制御によって残りの電流を保存し、ポンプ２５０は、インバータ２２０から交流が供給されて交流モータが駆動されることにより、田や畑などに用水を供給する。
【００４３】
以下、図３を参照して本発明による太陽光を用いた用水供給方法について詳細に説明する。
【００４４】
まず、太陽電池板１００は、太陽から放射される太陽光を集光して電流（直流）を生成し（Ｓ１０１）、コンバータ１１０に供給する。
【００４５】
生成された直流は、コンバータ１１０により昇圧されてレベル変換され（Ｓ１０３）、インバータ１２０に出力される。
【００４６】
昇圧された直流は、インバータ１２０により交流に変換され（Ｓ１０９）、ポンプ１５０に供給される（Ｓ１１１）。
【００４７】
このとき、制御部１４０は、コンバータ１１０により昇圧された直流の量を測定し（Ｓ１０５）、測定された直流の量が基準値以下であれば、昇圧された直流をインバータ１２０に供給して交流に変換された後にポンプ１５０に供給されるようにし、測定された直流の量が基準値を超えれば、基準値を超えた残りの電流が保存部１３０に別途保存されるようにする。
【００４８】
また、コンバータ１１０により昇圧された直流の量が基準値以下であるだけでなく、所定量以下となると、保存部１３０に保存された直流をポンプ１５０に供給してポンプ１５０を駆動することにより、太陽光の放射量に関係なくポンプ１５０が継続して駆動されるようにする。
【００４９】
以上、本発明の好ましい実施形態について説明したが、本発明は、様々な変化、変更及び均等物を用いることができ、上記実施形態を適切に変形して同様に応用できることは明らかである。よって、上記記載内容は特許請求の範囲により定義される本発明の範囲を限定するものではない。
【符号の説明】
【００５０】
１００、２００    太陽電池板
１１０、２１０    コンバータ
１２０、２２０    インバータ
１３０、２３０    保存部
１４０、２４０    制御部
１５０、２５０    ポンプ
２６０    温度検知センサ
【図１】
2016105683.tif 000003
【図２】
2016105683.tif 000004
【図３】
2016105683.tif 000005
【図４】
2016105683.tif 000006